(57)【要約】  【課題】  遊技盤を取り外すことなく、遊技盤の前面側から入賞装置等の部品を容易に取り外し・取付作業を行うことが可能な遊技機を提供する。  【解決手段】  チューリップ式電動役物３２の枠部材６９を飾り部材５１に挿入し、取付ベース６８の各係合突起部５６、５７を各溝部５３、５４に嵌入して、該取付ベース６８を飾り部材５１内に嵌入後、チューリップ式電動役物３２の前飾り６７を持って、正面視時計方向に回動し、各係合突起部５６、５７を各溝部５３、５４の正面視時計方向端縁部に当接させることによって、この位置に固定することができる。一方、チューリップ式電動役物３２の前飾り６７を持って、正面視反時計方向に回動し、各係合突起部５６、５７を各溝部５３、５４の正面視反時計方向端縁部に当接させ、該チューリップ式電動役物３２を軸方向前側に引き出すことによって、飾り部材５１から取り外すことができる。  【選択図】  図４
2005304748.tif 000002
【特許請求の範囲】
【請求項１】
遊技盤と、
前記遊技盤に設けられて所定径の取付孔を有する枠部材と、
前記枠部材の取付孔に嵌入される嵌入部材と、を備え、
前記枠部材は、前記取付孔の内周面の周方向に形成されて所定周方向側の端部が該枠部材の軸方向外側端面と接続するように形成される複数の溝部を有し、
前記嵌入部材は、外周面から外側方向に突設されて前記各溝部に嵌入される複数の係合突起部を有し、
該嵌入部材は、前記枠部材の取付孔に嵌入すると共に、各係合突起部を該枠部材の各溝部に嵌入して、前記所定周方向に対して反対側方向に回動することによって該枠部材に固設され、一方、該嵌入部材の各係合突起部を各溝部の所定周方向側の端部まで所定周方向に回動することによって該枠部材から取り外し可能となることを特徴とする遊技機。
【請求項２】
前記遊技盤に形成されて前記枠部材が取り付けられる貫通孔と、
前記貫通孔の裏側に配設されて入賞した入賞球を案内する入賞球集合部材と、を備え、
前記嵌入部材は、遊技球が入賞する入賞口を有し、
該嵌入部材は、前記入賞口に入賞した入賞球を前記貫通孔に案内することを特徴とする請求項１に記載の遊技機。
【請求項３】
前記嵌入部材は、遊技球が入賞しやすい状態と入賞しにくい状態とに可変可能な普通電動役物を有することを特徴とする請求項１または請求項２に記載の遊技機。
【請求項４】
前記枠部材は、通常時には閉塞される開閉可能な大入賞口を有する特別入賞装置を含むことを特徴とする請求項１または請求項２に記載の遊技機。
【請求項５】
前記嵌入部材は、前記入賞口に入賞した入賞球を検出する検出センサを有することを特徴とする請求項２乃至請求項４のいずれかに記載の遊技機。
【発明の詳細な説明】
【技術分野】
【０００１】
本発明は、遊技盤に配設される入賞装置を備えたパチンコ機等の遊技機に関するものである。
【背景技術】
【０００２】
従来より、パチンコ機等の遊技機において、入賞装置の遊技盤への取り付け構造に関し種々提案されている。
例えば、入賞装置本体の上部に入賞口を設け、後部に合体形成させる停止部材を配設、装着させる役目を入賞装置本体の裏部に組付け支柱ボスを左右に設けて、停止部材の左右にも装着案内ボスが設けられており、入賞装置本体と停止部材をボスにて合体させて入賞装置本体の最後部よりビスにて組付装着させる。組付け装着させられたボスには多少の空間が生じるようになっており役物を盤面に配設させるとき位置が修正できるような構造で、後部に装着させる停止部材には３ケ所の爪状からなる盤面装着部材が設けられて盤面を前部と後部から抱え込むように装着させ、盤面上に圧入方式で装着させ、不用時には脱着が容易にでき、脱着後分解が簡単にできるような構造を備えた構造のパチンコ機の圧入式の入賞装置が提案されている（例えば、特許文献１参照。）。
【特許文献１】特開２０００−１４８７０号公報（段落（０００５）〜（００１４）、図１〜図６）
【発明の開示】
【発明が解決しようとする課題】
【０００３】
しかしながら、遊技球の衝突等による汚れやメッキ剥がれ等の損傷のため、上記圧入式の入賞装置を取り外して交換する場合には、遊技盤をパチンコ機本体から取り外した後、裏側から各ビスを取り外す必要があり、交換作業が煩雑であるという問題がある。
【０００４】
そこで、本発明は、上述した問題点を解決するためになされたものであり、遊技盤を取り外すことなく、遊技盤の前面側から入賞装置等の部品を容易に取り外し・取付作業を行うことが可能な遊技機を提供することを目的とする。
【課題を解決するための手段】
【０００５】
前記目的を達成するため請求項１に係る遊技機は、遊技盤と、前記遊技盤に設けられて所定径の取付孔を有する枠部材と、前記枠部材の取付孔に嵌入される嵌入部材と、を備え、前記枠部材は、前記取付孔の内周面の周方向に形成されて所定周方向側の端部が該枠部材の軸方向外側端面と接続するように形成される複数の溝部を有し、前記嵌入部材は、外周面から外側方向に突設されて前記各溝部に嵌入される複数の係合突起部を有し、該嵌入部材は、前記枠部材の取付孔に嵌入すると共に、各係合突起部を該枠部材の各溝部に嵌入して、前記所定周方向に対して反対側方向に回動することによって該枠部材に固設され、一方、該嵌入部材の各係合突起部を各溝部の所定周方向側の端部まで所定周方向に回動することによって該枠部材から取り外し可能となることを特徴とする。
【０００６】
また、請求項２に係る遊技機は、請求項１に記載の遊技機において、前記遊技盤に形成されて前記枠部材が取り付けられる貫通孔と、前記貫通孔の裏側に配設されて入賞した入賞球を案内する入賞球集合部材と、を備え、前記嵌入部材は、遊技球が入賞する入賞口を有し、該嵌入部材は、前記入賞口に入賞した入賞球を前記貫通孔に案内することを特徴とする。
【０００７】
また、請求項３に係る遊技機は、請求項１又は請求項２に記載の遊技機において、前記嵌入部材は、遊技球が入賞しやすい状態と入賞しにくい状態とに可変可能な普通電動役物を有することを特徴とする。
【０００８】
また、請求項４に係る遊技機は、請求項１又は請求項２に記載の遊技機において、前記枠部材は、通常時には閉塞される開閉可能な大入賞口を有する特別入賞装置を含むことを特徴とする。
【０００９】
更に、請求項５に係る遊技機は、請求項２乃至請求項４のいずれかに記載の遊技機において、前記嵌入部材は、前記入賞口に入賞した入賞球を検出する検出センサを有することを特徴とする。
【発明の効果】
【００１０】
請求項１に係る遊技機では、所定径の取付孔を有する枠部材が、遊技盤に設けられている。また、この枠部材の取付孔の内周面には、周方向に形成されて所定周方向側の端部が該枠部材の軸方向外側端面と接続するように形成される複数の溝部が設けられている。そして、嵌入部材をこの枠部材の取付孔に嵌入すると共に、該嵌入部材の外周面から外側方向に突設される複数の係合突起を該枠部材の各溝部に嵌入して、所定周方向に対して反対側方向に回動することによって、該嵌入部材は枠部材に固設される。一方、この嵌入部材は、各係合突起部を各溝部の所定周方向側の端部まで所定周方向に回動することによって枠部材から取り外し可能となる。
これにより、遊技盤に枠部材を取り付けるスペースを設けるだけで、嵌入部材を該枠部材に着脱可能に設けることができ、取り付けスペースの省スペース化を図ることができる。また、嵌入部材への遊技球の衝突等による汚れやメッキ剥がれ等の損傷のために、該嵌入部材の清掃や交換が必要になった場合には、遊技盤の前面側から所定方向に回動して容易に取り外し後、嵌入部材の清掃や嵌入部材の交換を迅速に行うことができるため、遊技盤を取り外すことなく嵌入部材等の清掃や保守を容易に行うことができ、作業の迅速化及び維持管理費の削減化を図ることができる。
【００１１】
また、請求項２に係る遊技機では、枠部材は、遊技盤に形成される貫通孔に取り付けられている。また、嵌入部材には、遊技球が入賞する入賞口が設けられ、この入賞口に入賞した入賞球が貫通孔に案内され、この貫通孔の裏側に配設される入賞球集合部材によって案内される。
これにより、遊技盤に形成される貫通孔に取り付けられた枠部材に、入賞口を有する嵌入部材を取り付けることによって、入賞装置を容易に構成することができ、製造工程における遊技盤への入賞装置の取り付け作業の効率化を図ることができる。また、該入賞装置への遊技球の衝突等による汚れやメッキ剥がれ等の損傷のために、嵌入部材の清掃や交換が必要になった場合には、遊技盤を取り外すことなく、遊技盤の前面側から入賞装置の清掃や交換を容易に行うことができ、作業の迅速化及び維持管理費の削減化を図ることができる。
【００１２】
また、請求項３に係る遊技機では、嵌入部材には、遊技球が入賞しやすい状態と入賞しにくい状態とに可変可能な普通電動役物が設けられているため、この普通電動役物が故障した場合には、遊技盤を取り外すことなく、遊技盤の前面側から修理や交換を容易に行うことができ、交換作業等の迅速化及び維持管理費の削減化を図ることができる。
【００１３】
また、請求項４に係る遊技機では、枠部材には、通常時には閉塞される開閉可能な大入賞口を有する特別入賞装置が含まれるため、この特別入賞装置に設けられる嵌入部材によって入賞口を構成した場合には、この嵌入部材への遊技球の衝突等による汚れやメッキ剥がれ等の損傷のために、嵌入部材の清掃や交換が必要になった場合には、遊技盤を取り外すことなく、遊技盤の前面側から特別入賞装置に設けられる嵌入部材の清掃や交換を容易に行うことができ、作業の迅速化を図ることができる。また、嵌入部材の清掃や交換が必要になった場合には、この嵌入部材を交換するだけで、特別入賞装置全体を交換する必要がないため、維持管理費の削減化を図ることができる。
【００１４】
更に、請求項５に係る遊技機では、嵌入部材には、入賞口に入賞した入賞球を検出する検出センサが設けられているため、該検出センサが故障した場合には、遊技盤を取り外すことなく、遊技盤の前面側からこの嵌入部材を取り外して、嵌入部材又は検出センサを容易に修理・交換をすることができ、交換作業等の迅速化及び維持管理費の削減化を図ることができる。
【発明を実施するための最良の形態】
【００１５】
以下、本発明に係る遊技機をパチンコ機について具体化した一実施例を図面を参照して詳細に説明する。
【実施例１】
【００１６】
先ず、実施例１に係るパチンコ機の概略構成について図１及び図２に基づき説明する。
図１及び図２に示すように、実施例１に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１においては、カード式球貸機の図示を省略している。パチンコ機１は、木製の外枠２１に対して合成樹脂製の前枠３が、前枠取付用ヒンジを構成する上ヒンジ３Ａ及び下ヒンジ３Ｂを介して外枠２１に対して開閉自在に取り付けられている。そして、この前枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技盤２上の遊技領域１１を見ることができるように構成されている。また、前面カバー部材４の窓部５の上端縁部には、フルカラーの発光ダイオードが内蔵され、遊技中のエラーを表示するエラー表示電飾ランプ６Ａが取付けられている。また、このエラー表示電飾ランプ６Ａの左右外側には、「当たり」等の発生を報知したり遊技中に光演出をする各電飾ランプ６Ｂが取付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【００１７】
また、前面カバー部材４の右側中央部には、前枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、不図示の賞球払出装置から払い出される賞球を受ける上皿７がスピーカ７Ａを内蔵して合成樹脂製プレート８に配設されている。また、このプレート８は、左端縁部の上下を軸支されて、前面カバー部材４を開放後、内側に設けられた不図示のレバーを下げることにより開放できるように取付けられている。また、この上皿７の中央前面部には、カード式球貸機の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０に連結された不図示の発射装置へ送られるよう構成されている。
【００１８】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。
遊技領域１１のほぼ中央には、開口部が開設され、この開口部の前面側に特別図柄表示装置１８が配設されている。この特別図柄表示装置１８は、遊技盤２の前面側から取り付けられる装飾部材１７と、遊技盤２の裏面側から取り付けられる液晶表示器（ＬＣＤ）１９等から構成されている。この液晶表示器１９は、左、中、右に３つの変動図柄を表示する液晶パネルであって、左下角部には、左右に２分割された普通図柄を表示する普通図柄表示部２０が構成されている。
【００１９】
一方、特別図柄表示装置１８の左右には各ゲート２３、２４が配設されている。また、各ゲート２３、２４と特別図柄表示装置１８の間には通常の各風車２５、２６が設けられ、特別図柄表示装置１８の両肩側には各風車２７、２８が設けられている。
また、特別図柄表示装置１８の直下には、始動口３１を有する始動入賞装置３０が配設されている。この始動口３１には、パチンコ球の入賞を検出する始動口スイッチ３１Ａ（図５参照）が設けられ、パチンコ球の入賞を検出することで液晶表示器１９に表示されている特別図柄が変動する。
また、各ゲート２３、２４にはパチンコ球の通過を検出するゲートスイッチ（不図示）が備えられており、パチンコ球の通過を検出することで普通図柄表示部２０の普通図柄が変動する。そして、このゲート２３又はゲート２４にパチンコ球が入って、普通図柄表示部２０の普通図柄が変動後、所定の表示態様で停止した場合（例えば、「１１」、「７７」のように揃った場合等）には、始動入賞装置３０に設けられるチューリップ式電動役物３２が所定時間（本実施例１では、約１秒間）開かれ、この始動入賞装置３０の始動口３１にパチンコ球が入賞する確率が増加する。
【００２０】
そして、始動入賞装置３０の下側には、横幅が広い上方に開口する開閉扉３９で前面部を覆われる大入賞口４０が形成された特別入賞装置４１が配設されている。また、この大入賞口４０の左右両側には上方に開口する各下入賞口４２、４３が前面側に突出して形成されている。
また、この特別入賞装置４１の両側上方には各下入賞口３３、３４を有する各下入賞装置３５、３６が配設されて遊技盤２裏面の賞球樋３７（図７参照）に連通され、この下入賞口３３、３４への入賞を検出する各下入賞口スイッチ３３Ａ、３４Ａ（図６参照）が設けられている。また、特別入賞装置４１の直下にはレール１２に沿ってアウト口１５が開設されている。更に、レール１２に囲まれたこのような遊技領域１１には、前記各構成物とともに複数の釘が打設されてパチンコ球の複雑な流路を構成している。
【００２１】
次に、始動入賞装置３０の概略構成について図３乃至図５に基づいて説明する。
図３に示すように、始動入賞装置３０は、遊技盤２に穿設される貫通孔４５に前面側から各ビス４７、４８によって取り付けられる正面視略円環状の飾り部材５１と、この飾り部材５１に前面側から取り付けられるチューリップ式電動役物３２とから構成されている。また、この貫通孔４５の裏側は、賞球樋３７によって覆われ、始動入賞装置３０の始動口３１に入賞した入賞球は、該賞球樋３７によって下方に案内される。
【００２２】
また、図４及び図５に示すように、正面視略円環状の飾り部材５１の裏面部には、同一内径寸法で、外径寸法が貫通孔４５の内径よりも少し小さい略円筒状に後方に所定長さ延出される円筒部５２が形成されている。また、この円筒部５２の内周面には、相対向する位置に所定中心角度の長さの各溝部５３、５４が形成されている。この各溝部５３、５４は、正面視反時計方向端縁部で略直角外側方向に曲げられて、外側端面部と接続され、チューリップ式電動役物３２の各係合突起部５６、５７が該各溝部５３、５４に進入可能に構成されている。また、飾り部材５１の前面部には、正面視略水平位置に各取付部５９、６０が半径方向外側に延出され、各ビス孔６１、６２が穿設されている。また、各溝部５３、５４の正面視時計方向端縁部の軸方向後側の側面部には、弾性ゴム、板バネ、コイルバネ等で形成される各弾性部材５５で軸方向前側に付勢される各押え部材５８が設けられている。
【００２３】
また、チューリップ式電動役物３２は、各羽根部材６５、６６が開閉自在に軸着された前飾り６７と、該前飾り６７の後側端面部から外側方向に延出されて、上記飾り部材５１の内径寸法と略同一外径寸法に形成される略円板状の取付ベース６８と、該取付ベース６８の裏側面から後方に延出される枠部材６９と、この枠部材６９に配置されて各羽根部材６５、６６の駆動源であるソレノイド７０等から構成されている。また、該取付ベース６８の裏側端面外周部の相対向する位置から半径方向外側に、各溝部５３、５４の半径方向深さ寸法にほぼ等しい長さ寸法だけ延出され、後述のように各溝部５３、５４内に挿入される略平板状の各係合突起部５６、５７が形成されている。また、枠部材６９の左右側面部には、ソレノイド７０のプランジャに後方側端縁部が接続される側面視略Ｌ字形の各クランクレバー７１が揺動自在に軸着され、該ソレノイド７０を駆動してプランジャを吸引することによって、通常時は内側方向に回動されている各羽根部材６５、６６が外側方向に回動され、始動口３１にパチンコ球が入賞し易い状態となるように構成されている。一方、ソレノイド７０のプランジャが吸引されていない場合には、各羽根部材６５、６６は、パチンコ球が１個に限り通過可能な間隔で相対向するように形成され、始動口３１にパチンコ球が入賞しにくい状態となるように構成されている。
そして、始動口３１に入賞した入賞球は、始動口スイッチ３１Ａの検出孔３１Ｂに落下し、該始動口スイッチ３１Ａに作用した後、このチューリップ式電動役物３２の後方に排出され、賞球樋３７によって下方に案内される。
【００２４】
ここで、チューリップ式電動役物３２の飾り部材５１への取り付け・取り外し方法について図４に基づいて説明する。尚、飾り部材５１は、円筒部５２を貫通孔４５に挿入後、各取付部５９、６０が正面視略水平になるように、各ビス孔６１、６２を介して遊技盤２に各ビス４７、４８によってビス止めされている。
図４に示すように、チューリップ式電動役物３２を飾り部材５１に取り付ける場合には、先ず、チューリップ式電動役物３２の枠部材６９を飾り部材５１に挿入し（矢印７５方向に挿入する。）、取付ベース６８の各係合突起部５６、５７を各溝部５３、５４に嵌入して、該取付ベース６８を飾り部材５１内に嵌入する。そして、チューリップ式電動役物３２の前飾り６７を持って、このチューリップ式電動役物３２を正面視時計方向に回動し（矢印７６方向に回動する。）、各係合突起部５６、５７を各溝部５３、５４の正面視時計方向端縁部に当接させる。これにより、各係合突起部５６、５７は、各弾性部材５５によって付勢される各押え部材５８によって、この各溝部５３、５４の正面視時計方向端縁部の軸方向前側の側面部に押し当てられるため、チューリップ式電動役物３２をこの位置に固定することができる。尚、図３（Ａ）に示すように、各溝部５３、５４と各係合突起部５６、５７との相対位置関係は、チューリップ式電動役物３２を飾り部材５１に固定した場合に、始動口３１が直上を向くように構成されている。
【００２５】
一方、チューリップ式電動役物３２を飾り部材５１から取り外す場合には、先ず、チューリップ式電動役物３２の前飾り６７を持って、このチューリップ式電動役物３２を正面視反時計方向に回動し（矢印７６方向に対して反対方向に回動する。）、各係合突起部５６、５７を各押え部材５８から引き出し、各溝部５３、５４の正面視反時計方向端縁部に当接させる。そして、該チューリップ式電動役物３２を軸方向前側に引き出すことによって（矢印７５方向に対して反対方向に引き出す。）、飾り部材５１から取り外すことができる。
【００２６】
従って、遊技盤２に飾り部材５１を各ビス４７、４８によって取り付けるスペースを設けるだけで、チューリップ式電動役物３２を該飾り部材５１に着脱可能に設けることができ、始動入賞装置３０の取り付けスペースの省スペース化を図ることができる。また、チューリップ式電動役物３２の各羽根部材６５、６６や前飾り６７へのパチンコ球の衝突等による汚れやメッキ剥がれ等の損傷のために、該チューリップ式電動役物３２の清掃や交換が必要になった場合には、遊技盤２の前面側から正面視反時計方向に回動して容易に取り外し後、該チューリップ式電動役物３２の清掃や交換を迅速に行うことができるため、遊技盤２を取り外すことなくチューリップ式電動役物３２の清掃や保守を容易に行うことができ、作業の迅速化及び維持管理費の削減化を図ることができる。また、チューリップ式電動役物３２は、ソレノイド７０のプランジャが吸引された場合には、各羽根部材６５、６６が開かれてパチンコ球が入賞し易い状態となり、ソレノイド７０のプランジャが吸引されない場合には、各羽根部材６５、６６が閉じられてパチンコ球が入賞しにくい状態となるため、このソレノイド７０が故障した場合には、遊技盤２を取り外すことなく、遊技盤２の前面側から該チューリップ式電動役物３２の修理や交換を容易に行うことができ、交換作業等の迅速化及び維持管理費の削減化を図ることができる。更に、チューリップ式電動役物３２には、始動口３１に入賞した入賞球を検出する始動口スイッチ３１Ａが設けられているため、該始動口スイッチ３１Ａが故障した場合には、遊技盤２の前面側からこのチューリップ式電動役物３２を取り外して、容易に修理・交換をすることができ、交換作業等の迅速化及び維持管理費の削減化を図ることができる。
また、遊技盤２に形成される貫通孔４５に円筒部５２を挿入して、各ビス４７、４８によって取り付けられた飾り部材５１に、始動口３１を有するチューリップ式電動役物３２の各係合突起部５６、５７を各溝部５３、５４に前面側から挿入して正面視時計方向に回動することによって、始動入賞装置３０を容易に構成することができ、製造工程における遊技盤２への始動入賞装置３０の取り付け作業の効率化を図ることができる。
【００２７】
次に、各下入賞装置３５、３６の概略構成について図６乃至図８に基づいて説明する。尚、各下入賞装置３５、３６は、ほぼ同じ構成であるため、図２中、左側に配設される下入賞装置３５の概略構成について説明する。
図６に示すように、下入賞装置３５は、上記始動入賞装置３０とほぼ同じ構成であるが、各羽根部材６５、６６、枠部材６９、ソレノイド７０、各クランクレバー７１等が設けられていない点で異なっている。
この下入賞装置３５は、遊技盤２に穿設される貫通孔８１に前面側から各ビス８３、８４によって取り付けられる正面視略円環状の飾り部材８６と、この飾り部材８６に前面側から取り付けられる前部飾り部材８７とから構成されている。また、この貫通孔８１の裏側は、賞球樋３７によって覆われ、前部飾り部材８７の下入賞口３３に入賞した入賞球は、該賞球樋３７によって下方に案内される。
【００２８】
また、図６乃至図８に示すように、正面視略円環状の飾り部材８６の裏面部には、同一内径寸法で、外径寸法が貫通孔８１の内径よりも少し小さい略円筒状に後方に所定長さ延出される円筒部８９が形成されている。また、この円筒部８９の内周面には、相対向する位置に所定中心角度の長さの各溝部９１、９２が形成されている。この各溝部９１、９２は、正面視反時計方向端縁部で略直角外側方向に曲げられて、外側端面部と接続され、前部飾り部材８７の各係合突起部９４、９５が該各溝部９１、９２に進入可能に構成されている。また、飾り部材８６の前面部には、正面視略水平位置に各取付部９７、９８が半径方向外側に延出され、それぞれ各ビス８３、８４が挿通されるビス孔が穿設されている。また、各溝部９１、９２の正面視時計方向端縁部の軸方向後側の側面部には、上記各溝部５３、５４と同様に、弾性ゴム、板バネ、コイルバネ等で形成される各弾性部材（不図示）で軸方向前側に付勢される各押え部材（不図示）が設けられている。
【００２９】
また、前部飾り部材８７は、飾り部材８７の内径寸法と略同一外径寸法に形成される略円板状の取付ベース１０１と、該取付ベース１０１の前面部から前側方向に側断面略Ｌ字状に膨出されて下入賞口３３を構成する膨出部１０２と、この下入賞口３３の直下に配設される下入賞口スイッチ３３Ａ等から構成されている。また、該取付ベース１０１の裏側端面外周部の相対向する位置から半径方向外側に、各溝部９１、９２の半径方向深さ寸法にほぼ等しい長さ寸法だけ延出され、後述のように各溝部９１、９２内に挿入される略平板状の各係合突起部９４、９５が形成されている。また、膨出部１０２の上方部の内周面には、下入賞口スイッチ３３Ａが後側から嵌入される水平断面略コの字形の溝部１０３が形成されている。また、この溝部１０３の後端縁部には、後側方向（図７中、上方向）に延出されて、下入賞口スイッチ３３Ａの後端面部に当接される弾性係止片１０４が設けられている。これにより、下入賞口スイッチ３３Ａをこの溝部１０３に嵌入することによって、該下入賞口スイッチ３３Ａの前部の外周縁部は、溝部１０３によって保持されると共に、後端縁部は、弾性係止片１０４によって前側方向に押さえられるため、この下入賞口スイッチ３３Ａは、前部飾り部材８７に固設される。
そして、下入賞口３３に入賞した入賞球は、下入賞口スイッチ３３Ａの検出孔３３Ｂに落下し、該下入賞口スイッチ３３Ａに作用した後、この前部飾り部材８７の後方に排出され、賞球樋３７によって下方に案内される。
【００３０】
ここで、前部飾り部材８７の飾り部材８６への取り付け・取り外し方法について図６に基づいて説明する。
先ず、飾り部材８６は、円筒部８９を貫通孔８１に挿入後、各取付部９７、９８が正面視略水平になるように、遊技盤２に各ビス８３、８４によってビス止めされる。
そして、この飾り部材８６に前部飾り部材８７を取り付ける場合には、先ず、取付ベース１０１の各係合突起部９４、９５を各溝部９１、９２に嵌入して、該取付ベース１０１を飾り部材８６内に嵌入する。そして、前部飾り部材８７の膨出部１０２を持って、この前部飾り部材８７を正面視時計方向に回動し、各係合突起部９４、９５を各溝部９１、９２の正面視時計方向端縁部に当接させる。これにより、各係合突起部９４、９５は、各弾性部材（不図示）によって付勢される各押え部材（不図示）によって、この各溝部９１、９２の正面視時計方向端縁部の軸方向前側の側面部に押し当てられるため、前部飾り部材８７をこの位置に固定することができる。尚、図６（Ａ）に示すように、各溝部９１、９２と各係合突起部９４、９５との相対位置関係は、前部飾り部材８７を飾り部材８６に固定した場合に、下入賞口３３が直上を向くように構成されている。
【００３１】
一方、前部飾り部材８７を飾り部材８６から取り外す場合には、先ず、前部飾り部材８７の膨出部１０２を持って、この前部飾り部材８７を正面視反時計方向に回動し、各係合突起部９４、９５を各押え部材（不図示）から引き出し、各溝部９１、９２の正面視反時計方向端縁部に当接させる。そして、該前部飾り部材８７を軸方向前側に引き出すことによって、飾り部材８６から取り外すことができる。
【００３２】
従って、遊技盤２に飾り部材８６を各ビス８３、８４によって取り付けるスペースを設けるだけで、前部飾り部材８７を該飾り部材８６に着脱可能に設けることができ、各下入賞装置３５、３６の取り付けスペースの省スペース化を図ることができる。また、各前部飾り部材８７の膨出部１０２へのパチンコ球の衝突等による汚れやメッキ剥がれ等の損傷のために、該各前部飾り部材８７の清掃や交換が必要になった場合には、遊技盤２の前面側から各前部飾り部材８７を正面視反時計方向に回動して容易に取り外し後、該各前部飾り部材８７の清掃や交換を迅速に行うことができるため、遊技盤２を取り外すことなく各前部飾り部材８７の清掃や保守を容易に行うことができ、作業の迅速化及び維持管理費の削減化を図ることができる。また、各前部飾り部材８７には、各下入賞口３３、３４に入賞した入賞球を検出する各下入賞口スイッチ３３Ａが設けられているため、該各下入賞口スイッチ３３Ａが故障した場合には、遊技盤２の前面側からこの各前部飾り部材８７を取り外して、容易に修理・交換をすることができ、交換作業等の迅速化及び維持管理費の削減化を図ることができる。
また、遊技盤２に形成される各貫通孔８１に円筒部８９を挿入して、各ビス８３、８４によって取り付けられた各飾り部材８６に、各下入賞口３３、３４を有する各前部飾り部材８７の各係合突起部９４、９５を各溝部９１、９２に前面側から挿入して正面視時計方向に回動することによって、各下入賞装置３５、３６を容易に構成することができ、製造工程における遊技盤２への各下入賞装置３５、３６の取り付け作業の効率化を図ることができる。
【００３３】
次に、特別入賞装置４１の各下入賞口４２、４３の概略構成について図９に基づいて説明する。尚、各下入賞口４２、４３の構成は、上記各下入賞装置３５、３６ほぼ同じ構成であるため、上記図６乃至図８と同一符号は、上記下入賞装置３５と同一あるいは相当部分を示すものである。。
図９に示すように、特別入賞装置４１は、各ビス孔１１１〜１１６を介して遊技盤２の前面部に取り付けられている。また、この特別入賞装置４１の大入賞口４０の左右両側には、各前部飾り部材８７が取り付けられる正面視略円環状の各飾り部材取付部１２１、１２２が設けられている。この各飾り部材取付部１２１、１２２には、各溝部９１、９２が形成されている。また、各溝部９１、９２の正面視時計方向端縁部の軸方向後側の側面部には、上記各溝部５３、５４と同様に、弾性ゴム、板バネ、コイルバネ等で形成される各弾性部材（不図示）で軸方向前側に付勢される各押え部材（不図示）が設けられている。そして、各飾り部材取付部１２１、１２２には、下入賞口スイッチ３３Ａが設けられた各前部飾り部材８７が、上記下入賞装置３５と同様に固設され、各下入賞口４２、４３が構成されている。
そして、各下入賞口４２、４３に入賞した入賞球は、下入賞口スイッチ３３Ａの検出孔３３Ｂに落下し、該下入賞口スイッチ３３Ａに作用した後、この特別入賞装置４１の後方に排出され、賞球樋３７によって下方に案内される。
【００３４】
ここで、前部飾り部材８７の特別入賞装置４１への取り付け・取り外し方法について図６に基づいて説明する。
先ず、特別入賞装置４１の各飾り部材取付部１２１、１２２に各前部飾り部材８７を取り付ける場合には、先ず、取付ベース１０１の各係合突起部９４、９５を各溝部９１、９２に嵌入して、該取付ベース１０１を各飾り部材取付部１２１、１２２内に嵌入する。そして、前部飾り部材８７の膨出部１０２を持って、この前部飾り部材８７を正面視時計方向に回動し、各係合突起部９４、９５を各溝部９１、９２の正面視時計方向端縁部に当接させる。これにより、各係合突起部９４、９５は、各弾性部材（不図示）によって付勢される各押え部材（不図示）によって、この各溝部９１、９２の正面視時計方向端縁部の軸方向前側の側面部に押し当てられるため、前部飾り部材８７をこの位置に固定することができる。尚、図９（Ｂ）に示すように、各溝部９１、９２と各係合突起部９４、９５との相対位置関係は、前部飾り部材８７を各飾り部材取付部１２１、１２２に固定した場合に、各下入賞口４２、４３が直上を向くように構成されている。
【００３５】
一方、前部飾り部材８７を各飾り部材取付部１２１、１２２から取り外す場合には、先ず、前部飾り部材８７の膨出部１０２を持って、この前部飾り部材８７を正面視反時計方向に回動し、各係合突起部９４、９５を各押え部材（不図示）から引き出し、各溝部９１、９２の正面視反時計方向端縁部に当接させる。そして、該前部飾り部材８７を軸方向前側に引き出すことによって、各飾り部材取付部１２１、１２２から取り外すことができる。
【００３６】
従って、特別入賞装置４１の各前部飾り部材８７の膨出部１０２へのパチンコ球の衝突等による汚れやメッキ剥がれ等の損傷のために、該各前部飾り部材８７の清掃や交換が必要になった場合には、遊技盤２の前面側から各前部飾り部材８７を正面視反時計方向に回動して容易に取り外し後、該各前部飾り部材８７の清掃や交換を迅速に行うことができるため、遊技盤２を取り外すことなく各前部飾り部材８７の清掃や保守を容易に行うことができ、作業の迅速化及び維持管理費の削減化を図ることができる。また、各前部飾り部材８７には、各下入賞口４２、４３に入賞した入賞球を検出する各下入賞口スイッチ３３Ａが設けられているため、該各下入賞口スイッチ３３Ａが故障した場合には、遊技盤２の前面側からこの各前部飾り部材８７を取り外して、容易に修理・交換をすることができ、交換作業等の迅速化及び維持管理費の削減化を図ることができる。
また、各下入賞口３３、３４を有する各前部飾り部材８７の各係合突起部９４、９５を各飾り部材取付部１２１、１２２の各溝部９１、９２に前面側から挿入して正面視時計方向に回動することによって、各下入賞装置４２、４３を容易に構成することができ、製造工程における各飾り部材取付部１２１、１２２への各前部飾り部材８７の取り付け作業の効率化を図ることができる。
【００３７】
ここで、各飾り部材５１、８６及び各飾り部材取付部１２１、１２２は、枠部材として機能する。また、各飾り部材５１、８６及び各飾り部材取付部１２１、１２２の各内周面部分は、取付孔として機能する。また、チューリップ式電動役物３２及び前部飾り部材８７は、嵌入部材として機能する。また、賞球樋３７は、入賞球集合部材として機能する。また、始動口３１、各下入賞口３３、３４、４２、４３は、入賞口として機能する。また、チューリップ式電動役物３２は、普通電動役物として機能する。また、始動口スイッチ３１Ａ、下入賞口スイッチ３３Ａは、検出センサとして機能する。
【００３８】
尚、本発明は、上記実施例１に限定されるものではなく、本発明の要旨を逸脱しない範囲内で種々の改良、変形が可能であることは勿論である。
【図面の簡単な説明】
【００３９】
【図１】実施例１に係るパチンコ機全体を示した正面図である。
【図２】実施例１に係るパチンコ機の遊技盤の遊技領域を示した正面図である。
【図３】実施例１に係るパチンコ機の始動入賞装置を示した図で、（Ａ）は正面図、（Ｂ）は遊技盤に取り付けた状態を示す側面図である。
【図４】実施例１に係るパチンコ機の始動入賞装置の取り付けを説明する説明図である。
【図５】図３（Ａ）のＸ−Ｘ矢視断面図である。
【図６】実施例１に係るパチンコ機の下入賞装置を示した図で、（Ａ）は正面図、（Ｂ）は遊技盤に取り付けた状態を示す側面図である。
【図７】実施例１に係るパチンコ機の下入賞装置の平面図である。
【図８】図６（Ａ）のＹ−Ｙ矢視断面図である。
【図９】実施例１に係るパチンコ機の特別入賞装置を示した図で、（Ａ）は側面図、（Ｂ）は正面図である。
【符号の説明】
【００４０】
１                                  パチンコ機
２                                  遊技盤
３０                                始動入賞装置
３１                                始動口
３１Ａ                              始動口スイッチ
３２                                チューリップ式電動役物
３３、３４、４２、４３              下入賞口
３３Ａ                              下入賞口スイッチ
３５、３６                          下入賞装置
３７                                賞球樋
３９                                開閉扉
４０                                大入賞口
４１                                特別入賞装置
４５、８１                          貫通孔
５１、８６                          飾り部材
５３、５４、９１、９２、１０３      溝部
５５                                弾性部材
５６、５７、９４、９５              係合突起部
５８                                押え部材
８７                                前部飾り部材
１２１、１２２                      飾り部材取付部
【図１】
2005304748.tif 000003
【図２】
2005304748.tif 000004
【図３】
2005304748.tif 000005
【図４】
2005304748.tif 000006
【図５】
2005304748.tif 000007
【図６】
2005304748.tif 000008
【図７】
2005304748.tif 000009
【図８】
2005304748.tif 000010
【図９】
2005304748.tif 000011